(57)【要約】 【課題】コンパクトに、簡易に水槽に対し設置することができ、水槽に対し設置した状態のままでも、水槽内のメインテナンス等を行い易い動植物観賞用水槽照明装置を提供する。【解決手段】水槽上縁部９０に係合固定できる係合固定部１、係合固定部１に支持された支柱２、支柱２に連結された照明具吊り下げアーム３及びアーム３から吊り下げられた照明具４を含み、アーム３は、支柱上端部分２２との連結を解除した状態で、現状位置から反対側へ回動させて再び支柱上端部分２２に連結できる動植物観賞用水槽照明装置Ａ。【選択図】  図１０
2007228816.tif 000002
【特許請求の範囲】
【請求項１】
動植物観賞用水槽の上縁部に係合させて固定できる係合固定部と、
前記係合固定部に支持された支柱と、
前記支柱に連結された照明具吊り下げアームと、
前記照明具吊り下げアームから吊り下げられた照明具とを含み、
前記支柱は、前記係合固定部が前記水槽の上縁部に係合固定された状態で該係合固定部から立ち上がる立ち上がり部分と、該立ち上がり部分から屈曲連続して該水槽の上端開口に臨む位置へ延びる上端部分とを含んでおり、
前記照明具吊り下げアームは、前記係合固定部が前記水槽の上縁部に係合固定された状態で前記支柱の前記上端部分に連結解除可能に連結される連結部分と、該連結部分から屈曲連続して前記水槽の上端開口に臨みつつ延びる照明具吊り下げ部分とからなり、
前記照明具は、前記照明具吊り下げアームの照明具吊り下げ部分に取り外し可能に吊り下げられており、
前記照明具吊り下げアームは、前記連結部分と前記支柱の上端部分との連結を解除した状態で、該連結部分を中心に現状位置から反対側へ回動させて再び該支柱上端部分に連結解除可能に連結できることを特徴とする動植物観賞用水槽照明装置。
【請求項２】
前記照明具吊り下げアームの前記支柱上端部分との連結部分と該支柱上端部分とが突き合わせ状に連結されるように、該アームの連結部分と該支柱上端部分のうち、いずれか一方に突出軸が、他方に該突出軸を脱離可能に差し込める穴がそれぞれ形成されており、該突出軸を該穴に差し込むことで該アームの連結部分と該支柱上端部分とを突き合わせ状に連続させることができ、該突き合わせ状に連続させた状態において互いに合致するピン孔が該突出軸と該穴の周壁のそれぞれに形成されており、該合致するピン孔に挿脱可能の連結ピンを挿入することで、該アームの連結部分と該支柱上端部分とが連結解除可能に連結される請求項１記載の動植物観賞用水槽照明装置。
【請求項３】
前記支柱は、前記照明具の高さ調節のために、前記係合固定部に昇降調節可能に支持されている請求項１又は２記載の動植物観賞用水槽照明装置。
【請求項４】
前記支柱は、前記係合固定部に、該支柱の立ち上がり部分の長手方向中心軸線の回りに回動可能に支持されている請求項１、２又は３記載の動植物観賞用水槽照明装置。
【請求項５】
前記係合固定部は、前記水槽上縁部に上方から嵌合可能の、側面から見て倒立Ｕ字形状の嵌合部材と、該嵌合部材を該水槽上縁部に嵌合させたとき該水槽上縁部の内側に位置する該嵌合部材の部分に螺合された係合用ボルトとを含み、該嵌合部材を該水槽上縁部に嵌合させたとき該水槽上縁部の外側に位置する該嵌合部材の部分と該係合用ボルトとで水槽側板部分を挟着することで該水槽上縁部に固定できる請求項１から４のいずれかに記載の動植物観賞用水槽照明装置。
【発明の詳細な説明】
【技術分野】
【０００１】
本発明は、魚等の動物の飼育や観賞、植物の育成や観賞等に用いることができる水槽を照明するための動植物観賞用水槽照明装置に関する。
【背景技術】
【０００２】
動植物観賞用水槽を照明する方法として、古くから、水槽の上枠に照明具を直接載置して照明する方法が採用されてきた。例えば、実公平３−１７６５５号公報に水槽上枠に載置する照明具が記載されている。
【０００３】
最近では、水槽の傍に電気スタンド型の照明具を配置して水槽を照明することも行われている。この種の照明具は、例えば株式会社アクアデザインアマノ発行のカタログ「ＡＤＡ  Ｄｅｓｉｇｎ  ２００４」に記載されている。
【特許文献１】実公平３−１７６５５号公報
【非特許文献１】株式会社アクアデザインアマノ発行のカタログ「ADA Design 2004 」
【発明の開示】
【発明が解決しようとする課題】
【０００４】
しかしながら、水槽の上枠に載置される照明具は、水槽内のメインテナンス等の邪魔になることが多く、いちいち水槽から取り外さなければならないという煩わしさがある。
また、電気スタンド型の照明具は、水槽のメイテナンス等において水槽から遠ざけることができるものの、水槽の傍に配置して用いるものであるから、水槽及び電気スタンド型の照明具を含めると、それらの全体が大がかりとなり、それらのための、大きい設置スペースが要求される。
【０００５】
そこで本発明は、水槽の傍に配置される電気スタンド型の照明具と比べると、コンパクトに、簡易に水槽に対し設置することができ、水槽上枠に載置される照明具と比べると、水槽に対し設置した状態のままでも、水槽内のメインテナンス等を行い易い動植物観賞用水槽照明装置を提供することを課題とする。
【課題を解決するための手段】
【０００６】
本発明は前記課題を解決するために、
動植物観賞用水槽の上縁部に係合させて固定できる係合固定部と、
前記係合固定部に支持された支柱と、
前記支柱に連結された照明具吊り下げアームと、
前記照明具吊り下げアームから吊り下げられた照明具とを含み、
前記支柱は、前記係合固定部が前記水槽の上縁部に係合固定された状態で該係合固定部から立ち上がる立ち上がり部分と、該立ち上がり部分から屈曲連続して該水槽の上端開口に臨む位置へ延びる上端部分とを含んでおり、
前記照明具吊り下げアームは、前記係合固定部が前記水槽の上縁部に係合固定された状態で前記支柱の前記上端部分に連結解除可能に連結される連結部分と、該連結部分から屈曲連続して前記水槽の上端開口に臨みつつ延びる照明具吊り下げ部分とからなり、
前記照明具は、前記照明具吊り下げアームの照明具吊り下げ部分に取り外し可能に吊り下げられており、
前記照明具吊り下げアームは、前記連結部分と前記支柱の上端部分との連結を解除した状態で、該連結部分を中心に現状位置から反対側へ回動させて再び該支柱上端部分に連結解除可能に連結できる動植物観賞用水槽照明装置を提供する。
【０００７】
本発明に係る動植物観賞用水槽照明装置によると、係合固定部を水槽の上縁部（水槽上枠がある場合は、該上枠を含む上縁部）に係合させ固定することで、簡単にコンパクトに照明具を水槽上端の開口に臨む位置に配置して、水槽を照明することができる。
【０００８】
そのとき、照明具は、水槽上縁部に載置されるのではなく、水槽上端の開口に臨むように前記支柱及びこれに連結された照明具吊り下げアームにより吊り下げ配置されるので、該照明具下方の空間を利用して、水槽内のメインテナンス等を行い易い。
【０００９】
前記係合固定部は、簡易な構造で水槽上縁部に固定し易いものの例として、水槽上縁部（水槽上枠があるときは、該上枠を含む部分）に上方から嵌合可能の、側面から見て倒立Ｕ字形状（倒立門形形状等も含む）の嵌合部材と、該嵌合部材を水槽上縁部に嵌合させたとき該水槽上縁部の内側に位置する該嵌合部材の部分に螺合された係合用ボルトとを含み、該嵌合部材を水槽上縁部に嵌合させたとき該水槽上縁部の外側に位置する該嵌合部材の部分と該係合用ボルトとで水槽側板部分を挟着することで該水槽上縁部に固定できるものを挙げることができる。
【００１０】
前記係合用ボルトの水槽側板部分に向けられる先端部及び該水槽上縁部の外側に位置する嵌合部材の部分の内側のうち少なくとも一方は、弾性ゴム材等の弾性部材を有していてもよい。そのような弾性部材を設けることで、滑り難い状態でより確実に固定作業を行えるし、水槽側板が例えばガラス板であるような場合、それだけ安全に固定作業を行える。      
【００１１】
係合固定部は、要するに水槽上縁部に係合固定できるものであればよく、上記例示のものの他、例えば、スプリング力で閉じ方向に付勢力を受け、水槽上縁部を挟着可能な二股部を含む構造のもの等を挙げることもできる。
【００１２】
前記照明具吊り下げアームと支柱との連結態様については、簡易なものとして、前記照明具吊り下げアームの前記支柱上端部分との連結部分と該支柱上端部分とが突き合わせ状に連結されるように、該アームの連結部分と該支柱上端部分のうち、いずれか一方に突出軸が、他方に該突出軸を脱離可能に差し込める穴がそれぞれ形成されており、該突出軸を該穴に差し込むことで該アームの連結部分と該支柱上端部分とを突き合わせ状に連続させることができ、該突き合わせ状に連続させた状態において互いに合致するピン孔が該突出軸と該穴の周壁のそれぞれに形成されており、該合致するピン孔に挿脱可能の連結ピンを挿入することで、該アームの連結部分と該支柱上端部分とが連結解除可能に連結される態様を例示できる。
【００１３】
前記支柱は、前記照明具の高さ調節のために、前記係合固定部に昇降調節可能に支持されていてもよい。
また、前記支柱は、前記係合固定部に、該支柱の立ち上がり部分の長手方向中心軸線の回りに回動可能に（例えば予め決められた中心角度範囲内で回動可能に）支持されていてもよい。この場合、水槽メインテナンス等において、支柱を回動させることで、照明具を平面から見て右回り或いは左回りに回動させて、より水槽メインテナンス等を行い易くすることができる。
【発明の効果】
【００１４】
以上説明したように本発明によると、水槽の傍に配置される電気スタンド型の照明具と比べると、コンパクトに、簡易に水槽に対し設置することができ、水槽上枠に載置される照明具と比べると、水槽に対し設置した状態のままでも、水槽内のメインテナンス等を行い易い動植物観賞用水槽照明装置を提供することができる。
【発明を実施するための最良の形態】
【００１５】
以下、本発明の実施の形態を説明する。
図１は本発明に係る動植物観賞用水槽照明装置の１例の正面図、図２は同照明装置の背面図、図３は同照明装置の右側面図、図４は同照明装置の左側面図、図５は同照明装置の平面図、図６は同照明装置の底面図である。
【００１６】
図１から図６に示す照明装置Ａは、図１０に例示するように動植物観賞用水槽９に設置できる照明装置である。先に水槽９について説明しておくと、水槽９は、本例では周側壁９１を透明なガラス板９１１で形成し、周側壁９１の下部は水槽下枠９２に嵌め込み接続し、周側壁９１の上部には水槽上枠９３を嵌めて接続したもので、上端は開口９４している。内部に水、動物、植物等を収容して観賞することができる。
【００１７】
照明装置Ａは、
水槽９の上枠９３を含む上縁部９０に係合させて固定できる係合固定部１と、
係合固定部１に支持された支柱２と、
支柱２に連結された照明具吊り下げアーム３と、
アーム３からハンガー４１で吊り下げられた照明具４とを含んでいる。
【００１８】
係合固定部１は、水槽９の上枠９３を含む上縁部９０（図１０参照）に上方から嵌合可能の、側面から見て倒立Ｕ字形状の嵌合部材１１を含んでいる。嵌合部材１１を水槽上縁部９０に嵌合させたとき該水槽上縁部の内側に位置する嵌合部材１１の左右一対部分１１１（図１等参照）には係合用ボルト１１３が螺合されている。嵌合部材１１を水槽上縁部９０に嵌合させたとき該水槽上縁部の外側に位置する嵌合部材１１の部分１１２はその内側に貼着された弾性ゴムシート１１４を有している。
【００１９】
係合固定部１は、嵌合部材１１を水槽上縁部９０に上方から嵌合させて水槽上枠９３に座らせるとともに、水槽上縁部外側に位置する部分１１２の弾性ゴムシート１１４と係合用ボルト１１３とで水槽側板部分９１０を挟着することで、水槽上縁部９０に、簡易に安定的に固定できる。
【００２０】
また、係合固定部１には、嵌合部材１１の水槽外側に位置させる部分１１２の上部に、内側へ膨出する内側膨出部１１２ａが形成されており、その下側に外側へ膨出する外側膨出部１１２ｂが形成されており、さらにその下側に内側膨出部１１２ａ’が形成されている（図１〜図４等参照）。
【００２１】
支柱２は、係合固定部１が水槽上縁部９０に係合固定された状態で係合固定部１から立ち上がる、断面輪郭円形の立ち上がり部分２１と、立ち上がり部分２１から略９０°屈曲連続して水槽９の上端開口９４に臨む位置へ延びる、断面輪郭円形の上端部分２２とを含んでいる。
【００２２】
支柱２の立ち上がり部分２１は、係合固定部１における内側膨出部１１２ａ、外側膨出部１１２ｂ及び内側膨出部１１２ａ’に、昇降可能に且つ支柱立ち上がり部分２１の中心軸線回りに回動可能に挿入されることで、係合固定部１から立ち上がっている。
【００２３】
係合固定部１を水槽上縁部９０に係合固定した状態では、支柱立ち上がり部分２１は、係合固定部１が取り付けられる水槽側板部分９１０と略平行に真っ直ぐ立ち上がり、支柱２の上端部分２２は支柱立ち上がり部分２１に対し略９０°の角度で略水平に、且つ、水槽側板部分９１０に対し略垂直方向に水槽上端開口９４の上方へ延びる。
【００２４】
照明具吊り下げアーム３は、係合固定部１が水槽上縁部９０に係合固定された状態で支柱２の上端部分２２に連結される、断面輪郭円形の連結部分３１と、照明具吊り下げ部分３２とからなっている。照明具吊り下げ部分３２は連結部分３１から屈曲連続して支柱２から遠ざかる方向へ、水槽側板部分９１０と略平行に、水槽上端開口９４に臨みつつ略水平に延びている。
【００２５】
支柱２の立ち上がり部分２１には複数のネジ孔２１ａが上下方向に間隔をあけて形成されている。係合固定部１における外側膨出部１１２ｂには、図２等に示すようにスリットＳが貫通形成されており、該スリットに外側から挿入した支柱用ボルト１１５を支柱立ち上がり部分２１におけるいずれかのネジ孔２１ａに螺合させることで、支柱２の係合固定部１に対する昇降を阻止できる。ボルト１１５を支柱２から取り外し、支柱２を昇降調節して再びボルト１１５を支柱２のネジ孔２１ａに螺合させることで、照明具吊り下げアーム３及びそれに吊り下げられた照明具４の水槽９に対する高さ位置を調節できる。
【００２６】
また、支柱用ボルト１１５がスリットＳに沿って移動することが許される範囲で、支柱２を、その立ち上がり部分２１の中心軸線回りに回動させることができ、それに伴い照明具吊り下げアーム３及び該アームに吊り下げられた照明具４を、図１１に例示するように右回り（ＣＷ方向）或いは左回り（ＣＣＷ方向）に回動させることができる。
【００２７】
照明具４は、本例では図６に示すように蛍光灯４０を有するものであり、照明具吊り下げアーム３にハンガー４１で吊り下げられている。照明具吊り下げアーム３の照明具吊り下げ部分３２には、図７に示すように、ハンガー通し孔３２ａが形成さており、ここにハンガー４１を貫通させ、上方へ突出させた部分にハンガー留め部材（本例ではハンガー上端に螺合するナット部材）４２を取り付けて吊り下げられている。ハンガー留め部材４２を取り外すことで、ハンガー４１及び照明具４を照明具吊り下げアーム３から取り外すこともできる。
【００２８】
支柱２の上端部分２２の先端には、図８に示すように、断面円形の突出軸２２１が形成されている。一方、照明具吊り下げアーム３の、支柱上端部分２２との連結部分３１には、図７に破線で示すように、突出軸２２１を脱離可能に差し込むことができる断面円形の穴３１１が形成されている。突出軸２２１を穴３１１に差し込むことでアーム３の連結部分３１と支柱上端部分２２とを突き合わせ状に連続させることができる。
【００２９】
突出軸２２１には、図８に示すようにピン孔２２１ａが形成されているとともに、アーム３の連結部分３１の穴３１１の周壁には図７に示すようにピン孔３１１ａが形成されている。突出軸２２１を穴３１１に差し込み、アーム３の連結部分３１と支柱上端部分２２とを突き合わせ状に連続させた状態では、ピン孔２２１ａと３１１ａとが合致し、これらピン孔に、図９等に示す連結ピン５をその摘まみ部５１をもってピン部５２を差し込むことで、アーム３の連結部分３１と支柱上端部分２２とが突き合わせ状に連結される。
【００３０】
連結ピン５を引き抜けば、照明具吊り下げアーム３を、その連結部分３１及び支柱上端部分の突出軸２２１を中心に、現在の位置から１８０°反対側に回動させることができ、その状態で連結ピン５を再びピン孔２２１ａ、３１１ａに挿入することで両者の再連結を容易に行える。
【００３１】
従って、例えば、ハンガー留め部材４２をハンガー４１から取り外し、ハンガー４１及び照明具４を照明具吊り下げアーム３から取り外し、その状態で連結ピン５を引き抜き、アーム３を反対側へ回動させ、再び連結ピン５を差し込んでアーム３を固定し、該アームに照明具４をハンガー４１及びハンガー留め部材４２で吊り直すことができる。このような操作により、図１２に示すように、照明具４を、照明装置Ａの正面側からみて、支柱２の左側にでも、右側にでも配置することができ、それだけ照明装置Ａの使い勝手がよい。      
【００３２】
以上説明した照明装置Ａによると、図１０に示すように、係合固定部１を水槽９の上縁部９０に係合させ固定することで、簡単にコンパクトに照明具４を水槽上端の開口９４に臨む位置に配置して、水槽９を照明することができる。
【００３３】
そのとき、照明具４は、水槽上縁部９０に載置されるのではなく、水槽上端開口９４に臨むように支柱２及びこれに連結された照明具吊り下げアーム３により吊り下げ配置されるので、照明具４下方の空間を利用して、水槽９内のメインテナンス等を行い易い。
【００３４】
また、図１２に示すように、照明具４を照明装置Ａの正面側から見て支柱２の左側に配置したり、右側に配置したりでき、それだけ使い勝手がよい。
さらに、支柱用ボルト１１５を支柱２のネジ孔２１ａから取り外して支柱２を係合固定部１に対し昇降調節し、再びボルト１１５をネジ孔２１ａに螺合させることで、照明具４の高さを調節でき、この点でも使い勝手がよい。
【００３５】
また、支柱用ボルト１１５がスリットＳに沿って移動することが許される範囲で、支柱２を、その立ち上がり部分２１の中心軸線回りに回動させることで、照明具４を、図１１に例示するように右回り（ＣＷ方向）或いは左回り（ＣＣＷ方向）に回動させることができ、例えばメインテナンス等において、このように照明具４を退避回動させることで、一層メインテナンス等を容易に行える。
【産業上の利用可能性】
【００３６】
本発明は、魚等の動物の飼育や観賞、植物の育成や観賞等に用いることができる水槽の照明装置を提供することに利用できる。
【図面の簡単な説明】
【００３７】
【図１】本発明に係る動植物観賞用水槽照明装置の１例の正面図である。
【図２】図１に示す照明装置の背面図である。
【図３】図１に示す照明装置の右側面図である。
【図４】図１に示す照明装置の左側面図である。
【図５】図１に示す照明装置の平面図である。
【図６】図１に示す照明装置の底面図である。
【図７】照明具吊り下げアームの平面図である。
【図８】係合固定部及び支柱の平面図である。
【図９】連結ピンの正面図である。
【図１０】使用状態例を示す図である。
【図１１】支柱を回動させたときの様子を平面から見て示す図である。
【図１２】照明装置正面から見て照明具を支柱の右側或いは左側に配置できることを示す図である。
【符号の説明】
【００３８】
Ａ  照明装置
１  係合固定部
１１  嵌合部材
１１１  嵌合部材の水槽上縁部の内側に配置される部分
１１２  嵌合部材の水槽上縁部の外側に配置される部分
１１２ａ  内側膨出部
１１２ｂ  外側膨出部
Ｓ  スリット
１１３  係合用ボルト
１１４  弾性ゴムシート
１１５  支柱用ボルト
２  支柱
２１  支柱の立ち上がり部分
２１ａ  ネジ孔
２２  支柱の上端部分
２２１  突出軸
２２１ａ  ピン孔
３  照明具吊り下げアーム
３１  連結部分
３１１  穴
３１１ａ  ピン孔
３２  照明具吊り下げ部
３２ａ  ハンガー通し孔
４  照明具
４１  ハンガー
４１  ハンガー留め部材
５  連結ピン
５１  摘まみ部
５２  ピン部
９  動植物観賞用水槽照明装置
９１  水槽９の周側壁
９１１  透明ガラス板
９１０  水槽側板部分
９２  水槽下枠
９３  水槽上枠
９４  水槽上端開口
９０  水槽上縁部
【図１】
2007228816.tif 000003
【図２】
2007228816.tif 000004
【図３】
2007228816.tif 000005
【図４】
2007228816.tif 000006
【図５】
2007228816.tif 000007
【図６】
2007228816.tif 000008
【図７】
2007228816.tif 000009
【図８】
2007228816.tif 000010
【図９】
2007228816.tif 000011
【図１０】
2007228816.tif 000012
【図１１】
2007228816.tif 000013
【図１２】
2007228816.tif 000014